(57)【要約】      （修正有）【課題】セットアップを行う際に取得した補正用データを基に、高品質な画像を取得することが可能な画像読取装置および画像読取装置調整プログラムを提供する。【解決手段】光源部と光電変換部と分解処理部と補正処理部とを備えている。光源部は、フィルムに対して光線を照射する。光電変換部は、フィルムに照射された光線を検出する。分解処理部は、第１補正用データＤ２を所定の周波数成分ごとに分解してそれぞれの第２補正用データを生成する。補正処理部は、分解処理部によって生成された第２補正用データに含まれる少なくとも１つの周波数成分に対応する第２補正用データの補正を行って第３補正用データを生成する。合成処理部は、第３補正用データと、中周波成分に対応する第３補正用データＤ６と、第２補正用データＤ５との合成を行って第４補正用データＤ８を生成する。【選択図】図７
2007006354.tif 000002
【特許請求の範囲】
【請求項１】
フィルムに対して光線を照射する光源装置と、
前記フィルムに照射された光線を検出する光検出部と、
セットアップを行う際に、前記光検出部において検出された光量に基づき第１補正用データを生成し、前記第１補正用データを所定の周波数成分ごとに分解して第２補正用データを生成する分解処理部と、
前記分解処理部によって生成された前記第２補正用データに含まれる少なくとも１つの周波数成分に対応する前記第２補正用データの補正を行って第３補正用データを生成する補正処理部と、
前記補正処理部において調整されなかった前記第２補正用データと、前記第３補正用データと、を合成し、第４補正用データを生成する合成処理部と、
を備えている画像読取装置。
【請求項２】
前記セットアップは、均一な光透過レベルを有する減光材を用いて行われ、
前記分解処理部は、所定の周波数に応じて高周波成分と、中周波成分と、低周波成分と、に分解してそれぞれの前記第２補正用データを生成し、
前記補正処理部は、前記中周波成分に対応する前記第２補正用データについて補正を行って前記第３補正用データを生成する、
請求項１に記載の画像読取装置。
【請求項３】
前記補正処理部は、前記高周波成分に対応する前記第２補正用データについて補正を行って前記第３補正用データを生成する、
請求項１または２に記載の画像読取装置。
【請求項４】
前記補正処理部は、前記低周波成分に対応する前記第２補正用データについて補正を行って前記第３補正用データを生成する、
請求項１から３のいずれか１項に記載の画像読取装置。
【請求項５】
前記第４補正用データに基づいてセットアップを行うための補正係数を算出するパラメータ算出処理部をさらに備えた、
請求項１から４のいずれか１項に記載の画像読取装置。
【請求項６】
前記分解処理部は、平滑化フィルタを用いて処理する、
請求項１から５のいずれか１項に記載の画像読取装置。
【請求項７】
フィルムに対して照射された光の透過光を検出して画像情報を取得する画像読取装置の画像読取装置調整プログラムであって、
画像読取装置のセットアップを行う際に、検出される光量に基づき生成される第１補正用データを、所定の周波数成分ごとに分解して第２補正用データを生成する第１のステップと、
前記第２補正用データに含まれる少なくとも１つの周波数成分の補正を行って第３補正用データを生成する第２のステップと、
前記第２ステップにおいて調整されなかった前記第２補正用データと、前記第３補正用データと、を合成し、第４補正用データを生成する第３のステップと、
を備えた画像読取装置の調整をコンピュータに実行させる画像読取装置調整プログラム。
【請求項８】
前記第１のステップにおいて、所定の周波数に応じて高周波成分と、中周波成分と、低周波成分と、に分解して前記第２補正用データを生成するとともに、
前記第２のステップにおいて、前記中周波成分に対応する前記第２補正用データについて補正を行って前記第３補正用データを生成する、
請求項７に記載の画像読取装置調整プログラム。
【発明の詳細な説明】
【技術分野】
【０００１】
本発明は、光源装置から光線をフィルム等に照射し、その照射された光線をＣＣＤ等からなる光電変換部で光電変換して画像データを取得する画像読取装置および画像読取装置調整プログラムに関する。
【背景技術】
【０００２】
一般的に画像読取装置は、光源装置から光線をフィルム等に照射し、その照射された光線をＣＣＤ等から構成される光電変換部で光電変換して画像データを取得する。しかし、この構成の画像読取装置は、光源装置、ＣＣＤ等のいずれかに主走査方向に対するむらが存在すると高品質な画像を取得することができないという問題がある。そこで、画像読取装置はこれらのむらを補正するために、走査方向に対して均一な透過率あるいは反射率を有するＮＤフィルタを準備しておき、セットアップ時に、このＮＤフィルタを走査して補正用データを取得する。そして、画像読取装置は、セットアップ時に取得した補正用データを基に、実際にフィルム等を走査して得られる画像データに含まれるむらを補正するようにしている。（特許文献１）。
【特許文献１】特開平１０−３０４１９３号公報（平成１０年１１月１３日公開）
【発明の開示】
【発明が解決しようとする課題】
【０００３】
しかしながら、上記従来の画像読取装置では、以下に示すような問題点を有している。
例えば、ＮＤフィルタを使ったセットアップについて特許文献１の例を挙げると、ＮＤフィルタを走査して取得した補正用データでは、ＮＤフィルタと実際に走査するフィルム等の間に発生する光拡散特性の違い等に起因するむらを調整できないなど、補正用データに基づいて調整をしても、全てのむらを適正に補正することができない可能性があった。
【０００４】
本発明の課題は、セットアップを行う際に取得した補正用データを基に、画像データに含まれる複数の各種むらをそれぞれ適正に補正することができ、高品質な画像を取得することが可能な画像読取装置および画像読取装置調整プログラムを提供することにある。
【課題を解決するための手段】
【０００５】
第１の発明に係る画像読取装置は、光源装置と、光検出部と、分解処理部と、補正処理部と、合成処理部とを備えている。光源装置は、フィルムに対して光線を照射する。光検出部は、フィルムに照射された光線を検出する。分解処理部は、セットアップを行う際に、光検出部において検出された光量に基づき第１補正用データを生成し、この第１補正用データを所定の周波数成分ごとに分解して第２補正用データを生成する。補正処理部は、分解処理部によって生成された第２補正用データに含まれる少なくとも１つの周波数成分に対応する第２補正用データの補正を行って第３補正用データを生成する。合成処理部は、補正処理部において補正されなかった第２補正用データと、第３補正用データとを合成し、第４補正用データを生成する。
【０００６】
ここでは、画像読取装置において、セットアップを行う際に、分解処理部が、第１補正用データを所定の周波数成分ごとに分解してそれぞれの第２補正用データを生成し、補正処理部が、その中から少なくとも１つの第２補正用データについて補正を行って第３補正用データを生成し、この第３補正用データを基にスキャニング画像を調整する。そして、合成処理部が、上記の第３補正用データと、補正処理部によって補正されなかった残りの第２補正用データと合成し、第４補正用データを生成する。
【０００７】
なお、ここでいうセットアップとは、画像読取装置において正確に画像読取を行うために必要な画像処理条件（補正条件）を設定することを言う。
ここで、第１補正用データを分解して生成される第２補正用データには、分解する周波数成分によってそれぞれに異なるむらが含まれる。例えば、第１補正用データを高周波成分と中周波成分と低周波成分に分解して第２補正用データを生成する場合、中周波成分に対応する第２補正用データには、減光材と実際にスキャニングするフィルムとの光拡散特性の違いにより形状が変化するむらが含まれる。
【０００８】
通常、このような画像読取装置については、セットアップ用として取得された第１補正用データに基づきスキャニング画像の調整を行っていた。しかし、このような第１補正用データを調整する方法では、例えば、減光材と実際にスキャニングするフィルムとの光拡散特性の違いが考慮されておらず、適正に補正されずにむらが残る可能性があった。
そこで、本発明の画像読取装置では、セットアップ用として取得された第１補正用データを、所定の周波数成分ごとに分解してそれぞれの第２補正用データを生成する。そして、少なくとも１つの周波数成分に対応する第２補正用データの補正を行って第３補正用データを生成する。さらに、これらの第３補正用データと、補正されなかった第２補正用データを合成して第４補正用データを生成する。
【０００９】
これにより、第４補正用データを基にスキャニング画像を調整することが可能となる。
この結果、それぞれの周波数成分に対応して現れる各種むらを適正に補正することができるようになり、高品質な画像を提供することができる。
第２の発明に係る画像読取装置は、第１の発明に係る画像読取装置であって、セットアップは、均一な光透過レベルを有する減光材を用いて行われ、分解処理部は、所定の周波数に応じて高周波成分と、中周波成分と、低周波成分と、に分解してそれぞれの第２補正用データを生成する。補正処理部は、中周波成分に対応する第２補正用データについて補正を行って第３補正用データを生成する。
【００１０】
ここでは、分解処理部が、第１補正用データを所定の周波数に従って高周波成分と中周波成分と低周波成分との３つの周波数成分に分解し、補正処理部が、中周波成分に対応する第２補正用データを補正する。
ここで、第１補正用データを所定の周波数成分ごとに分解して生成される中周波成分に対応する第２補正用データには、減光材と実際にスキャニングするフィルムとの光拡散特性の違いにより形状が変化するむらが含まれる。
【００１１】
通常、このような画像読取装置については、スキャニング画像の各種むらを調整するために、セットアップ用の減光材に所定の光量を照射して得られる第１補正用データに基づき調整を行っていた。しかし、このような第１補正用データを調整する方法では、例えば、減光材と実際にスキャニングするフィルムとの光拡散特性の違いにより適正に補正されずに残るむらなど、それぞれの周波数成分に対応するそれぞれのむらを全て適正に補正することができない可能性があった。
【００１２】
そこで、本発明の画像読取装置では、第１補正用データを所定の周波数に従って高周波成分と中周波成分と低周波成分との３つに分解してそれぞれの第２補正用データを生成し、そのうち中周波成分に対応する第２補正用データを補正する。そして、この第２補正用データを補正して得られる第３補正用データに基づきスキャニング画像を調整する。
これにより、例えば、減光材を利用したセットアップ調整において、減光材と実際にスキャニングするフィルムとの光拡散特性の違いにより形状が変化するむらを効果的に軽減することができる。
【００１３】
第３の発明に係る画像読取装置は、第１または第２の発明に係る画像読取装置であって、補正処理部は、高周波成分に対応する第２補正用データについて補正を行って第３補正用データを生成する。
ここでは、分解処理部が、第１補正用データを所定の周波数に従って高周波成分と中周波成分と低周波成分との３つの周波数成分に分解し、補正処理部が、高周波成分に対応する第２補正用データを補正する。
【００１４】
ここで、第１補正用データを分解して生成される高周波成分に対応する第２補正用データには、光電変換部に含まれるＣＣＤ（Charge Coupled Device）のショットノイズや光源装置に含まれるＬＥＤ（Light Emitting Diode）個々のチップに起因するむらが含まれる。
これにより、例えば、光電変換部に含まれるＣＣＤのショットノイズや光源装置に含まれるＬＥＤ個々のチップによるむらを効果的に軽減することができる。
【００１５】
第４の発明に係る画像読取装置は、第１から第３の発明のいずれか１つに係る画像読取装置であって、補正処理部は、低周波成分に対応する第２補正用データについて補正を行って第３補正用データを生成する。
ここでは、分解処理部が、第１補正用データを所定の周波数に従って高周波成分と中周波成分と低周波成分との３つの周波数成分に分解し、補正処理部が、低周波成分に対応する第２補正用データを補正する。
【００１６】
ここで、第１補正用データを分解して生成される高周波成分に対応する第２補正用データには、有効エリアにおけるＣＣＤ全画素域に起因するむらが含まれる。
これにより、例えば、有効エリアにおけるＣＣＤ全画素域についてのむらを効果的に軽減することが可能となる。
第５の発明に係る画像読取装置は、第１から第４の発明のいずれか１つに係る画像読取装置であって、第４補正用データに基づいてセットアップを行うための補正係数を算出するパラメータ算出処理部と、をさらに備えている。
【００１７】
ここでは、パラメータ算出処理部が、第４補正用データを基にスキャニング画像を調整するための補正係数を算出する。
ここで、第４補正用データは、それぞれの周波数成分に分解された第２補正用データに対応するむらをそれぞれ適正に補正した第３補正用データを合成して生成されている。このため、第４補正用データから算出される補正係数は、従来の補正係数と比べ、スキャニング画像を適正に補正することが可能となる。なお、従来の補正係数は、第１補正用データから算出していた。
【００１８】
これにより、第４補正用データから算出される補正係数によってスキャニング画像を適正に調整することが可能となり、適正に補正されなかったむらを残すことなく、高品質な画像を提供することができる。
第６の発明に係る画像読取装置は、第１から第５の発明のいずれか１つに係る画像読取装置であって、分解処理部は、平滑化フィルタを用いて処理する。
【００１９】
ここでは、分解処理部が、第１補正用データを所定の周波数成分ごとに分解するために平滑化フィルタを用いて処理する。
例えば、第１補正用データに対して、画素数が異なる複数の平滑化フィルタをそれぞれ用いることで、所定の周波成分をそれぞれ抽出することができる。
これにより、第１補正用データを効率的に所定の周波成分ごとに分解することができる。
【００２０】
第７の発明に係る画像読取装置調整プログラムは、第１〜第３のステップを備えた画像処理方法をコンピュータに実行させる。第１のステップでは、画像処理装置のセットアップを行う際に、検出される光量に基づき生成される第１補正用データを、所定の周波数成分ごとに分解して第２補正用データを生成する。第２のステップでは、第２補正用データに含まれる少なくとも１つの周波数成分の補正を行って第３補正用データを生成する。第３のステップでは、第２のステップにおいて補正されなかった第２補正用データと、第３補正用データとを合成し、第４補正用データを生成する。
【００２１】
ここでは、セットアップを行う際の画像読取装置調整プログラムにおいて、第１のステップが、第１補正用データを所定の周波数成分ごとに分解してそれぞれの第２補正用データを生成し、第２のステップが、その中から少なくとも１つの第２補正用データについて補正を行って第３補正用データを生成する。そして、第３のステップが、上記の第３補正用データと、第２のステップによって補正されなかった残りの第２補正用データと合成し、第４補正用データを生成する。
【００２２】
ここで、第１補正用データを分解して生成される第２補正用データには、分解する周波数成分によってそれぞれに異なるむらが含まれる。例えば、第１補正用データを高周波成分と中周波成分と低周波成分に分解して第２補正用データを生成する場合、中周波成分に対応する第２補正用データには、減光材と実際にスキャニングするフィルムとの光拡散特性の違いにより形状が変化するむらが含まれる。
【００２３】
通常、このような画像読取装置調整プログラムでは、スキャニング画像の各種むらを調整するために、セットアップ用として取得された第１補正用データに基づきスキャニング画像の調整を行っていた。しかし、このような第１補正用データに基づき調整する方法では、例えば、減光材と実際にスキャニングするフィルムとの光拡散特性の違いにより適正に補正されずに残るむらなど、それぞれの周波数成分に対応するそれぞれのむらを全て適正に補正することができない可能性があった。
【００２４】
そこで、本発明の画像読取装置調整プログラムでは、セットアップ用として取得された第１補正用データを、所定の周波数成分ごとに分解してそれぞれの第２補正用データを生成する。そして、この第２補正用に含まれる少なくても１つの周波数成分に対応する第２補正用データの補正を行って第３補正用データを生成する。さらに、これらの第３補正用データと、補正されなかった第２補正用データを合成し第４補正用データを生成する。
【００２５】
これにより、画像読取装置調整プログラムは、第４補正用データを基にスキャニング画像を調整することが可能となる。
この結果、それぞれの周波数成分に対応して現れる各種むらを適正に補正することができるようになり、高品質な画像を提供することができる。
第８の発明に係る画像読取装置調整プログラムは、第７の発明に係る画像読取装置調整プログラムであって、第１のステップが、所定の周波数に応じて高周波成分と、中周波成分と、低周波成分と、に分解して第２補正用データを生成するとともに、第２のステップが、中周波成分に対応する第２補正用データについて補正を行って第３補正用データを生成する。
【００２６】
ここでは、画像読取装置調整プログラムが、第１補正用データを所定の周波数に従って高周波成分と中周波成分と低周波成分との３つの周波数成分に分解し、中周波成分に対応する第２補正用データを補正する。
ここで、第１補正用データを所定の周波数成分ごとに分解して生成される中周波成分に対応する第２補正用データには、減光材と実際にスキャニングするフィルムとの光拡散特性の違いにより形状が変化するむらが含まれる。
【００２７】
通常、このような画像読取装置調整プログラムについては、スキャニング画像の各種むらを調整するために、セットアップ用の減光材に所定の光量を照射して得られる第１補正用データに基づき調整を行っていた。しかし、この調整方法は、例えば、減光材と実際にスキャニングするフィルムとの光拡散特性の違いが考慮されておらず、適正に補正されずにむらが残る可能性があった。
【００２８】
そこで、本発明の画像読取装置調整プログラムでは、第１補正用データを所定の周波数に従って高周波成分と中周波成分と低周波成分との３つに分解してそれぞれの第２補正用データを生成し、そのうち中周波成分に対応する第２補正用データを補正する。そして、中周波成分の第２補正用データを補正して得られる第３補正用データと、高周波成分と低周波成分の第２補正用データを合成して第４補正用データを生成し、この第４補正用データに基づきスキャニング画像を調整する。
【００２９】
これにより、減光材を利用したセットアップ調整において、減光材と実際にスキャニングするフィルムとの光拡散特性の違いにより形状が変化するむらを効果的に軽減することができる。
【発明の効果】
【００３０】
第１の発明に係る画像読取装置によれば、スキャニング画像を適正に調整することが可能となり、適正に補正されなかったむらを残すことなく、高品質な画像を提供することができる。
第２の発明に係る画像読取装置によれば、例えば、減光材を利用したセットアップ調整において、減光材と実際にスキャニングするフィルムとの光拡散特性の違いにより形状が変化するむらを効果的に軽減することができる。
【００３１】
第３の発明に係る画像読取装置によれば、例えば、光電変換部に含まれるＣＣＤのショットノイズや光源装置に含まれるＬＥＤ個々のチップによるむらを効果的に軽減することができる。
第４の発明に係る画像読取装置によれば、例えば、有効エリアにおけるＣＣＤ全画素域についてのむらを効果的に軽減することができる。
【００３２】
第５の発明に係る画像読取装置によれば、これにより、スキャニング画像を適正に調整することが可能となり、適正に補正されなかったむらを残すことなく、高品質な画像を提供することができる。
第６の発明に係る画像読取装置によれば、第１補正用データを効率的に所定の周波成分ごとに分解することができる。
【００３３】
第７の発明に係る画像読取装置調整プログラムによれば、それぞれの周波数成分に対応して現れる各種むらを補正することができるようになり、高品質な画像を提供することができる。
第８の発明に係る画像読取装置調整プログラムによれば、減光材を利用したセットアップ調整において、減光材と実際にスキャニングするフィルムとの光拡散特性の違いにより形状が変化するむらを効果的に軽減することができる。
【発明を実施するための最良の形態】
【００３４】
本発明の一実施形態に係る画像読取装置および画像読取装置調整プログラムを内蔵したフィルムスキャナ１について、図１〜図８を用いて説明すれば以下のとおりである。
［フィルムスキャナ１全体の構成］
本実施形態に係るフィルムスキャナ１は、図１に示すように、フィルムを搬送しながらスキャニングする装置である。フィルムスキャナ１は、筐体１０、ベース面１０ａ、照明光学部２０、撮像光学部３０、光電変換部４０、フィルムキャリアユニット５０、制御部６０（図２参照）を備えている。フィルムスキャナ１は、筐体１０によって外観が形成されており、筐体１０の内部には下方から照明光学部２０、撮像光学部３０、光電変換部４０の順番に配置されている。そして、フィルムキャリアユニット５０が装着されるベース面１０ａが、筐体１０の中央部に形成されている凹部の下面に配置されている。
【００３５】
照明光学部２０は、図２、図３、図４に示すように、光源部２１ａ〜２１ｃから照射する光線をフィルム２に透過させる。そして、照明光学部２０は、樹脂成形品で形成される上壁部１１と、アルミニウム合金から形成される側壁部１２と底壁部１３とでケース状に形成され、光源部２１、平行化レンズ２２、ミラー２３、ＮＤフィルタ２４、ディフューザ２５を有している。
【００３６】
撮像光学部３０は、図２、図４に示すように、ズームレンズ３１、光電変換部４０に入射する光線の光量を制限する絞り３２を有しており、フィルム２からの透過光線を処理する。また、必要に応じて投射光の方向を変える方向変換光学部が追加される。
光電変換部４０は、図２、図４に示すように、撮像光学部３０によって導かれた光線から赤色成分（以下Ｒと略称する）・緑色成分（以下Ｇと略称する）・青色成分（以下Ｂと略称する）の各色を検出する。光電変換部４０は、Ｒ・ＣＣＤセンサ４１ａと、Ｇ・ＣＣＤセンサ４１ｂと、Ｂ・ＣＣＤセンサ４１ｃとを有している。Ｒ・ＣＣＤセンサ４１ａの撮像面にはフィルム２を透過した光の主に赤色成分のみを通過させるカラーフィルタが、Ｇ・ＣＣＤセンサ４１ｂの撮像面にはフィルム２を透過した光の主に緑色成分のみを通過させるカラーフィルタが、Ｂ・ＣＣＤセンサ４１ｃの撮像面にはフィルム２を透過した光の主に青色成分のみを通過させるカラーフィルタが設けられており、それぞれ、透過光のうちの青色成分、赤色成分、緑色成分のみを光電変換する。
【００３７】
フィルムキャリアユニット５０は、図２、図３に示すように、写真フィルム２を副走査方向に往復搬送する装置であって、主走査方向に沿ったスリット状のスキャンゲート５２が形成されたケース５１と、そのケース５１の内側に配置された複数の圧接型の搬送ローラ５３と、ベース面１０ａに対向し対置に配置される集光レンズ５４とを有している。そして、このフィルムキャリアユニット５０は、１３５フィルムやＡＰＳフィルムやブローニフィルムなどのフィルムの種類ごとに用意されており、本実施形態では１３５フィルム用のフィルムキャリアユニット５０が装着されているとする。
【００３８】
［照明光学部２０の説明］
光源部２１は、図２、図４に示すように、主に赤色成分の光線を放射するＬＥＤ素子列が主走査方向に直線状に配列されたＲ光源部２１ａと、主に緑色成分の光線を放射するＬＥＤ素子列が主走査方向に直線状に配列されたＧ光源部２１ｂと、主に青色成分の光線を放射するＬＥＤ素子列が主走査方向に直線状に配列されたＢ光源部２１ｃとを上壁部１１の内部に有している。
【００３９】
平行化レンズ２２は、図２示すように、それぞれの光源部２１ａ〜２１ｃから照射される光線を平行光線化するために、それぞれの光源部２１ａ〜２１ｃの焦点位置に配置されている。
ミラー２３は、図２、図４に示すように、これらの平行化レンズ２２を介して送り出された光線を合流させるダイクロイック型のミラーとして第１ミラー２３ａと第２ミラー２３ｂが取り付けられている。そして、これらの位置関係は、Ｇ光源部２１ｂからの光線を上方に送る縦向き姿勢の第１光軸Ｌ１上に平行化レンズ２２と第１ミラー２３ａとが配置され、Ｂ光源部２１ｃからの光線を上方に送る縦向き姿勢の第２光軸Ｌ２上に平行化レンズ２２と第２ミラー２３ｂとが配置され、Ｒ光源部２１ａからの光線を水平方向に送る横向き姿勢の第３光軸Ｌ３上に平行化レンズ２２と第１・第２ミラー２３ａ・２３ｂとが位置するようになっている。
【００４０】
ＮＤフィルタ２４は、図３に示すように、第１光軸Ｌ１に沿って上方に送り出される光線の光量を低減する減光フィルタである。そして、ＮＤフィルタ２４は、フィルムキャリアユニット５０の集光レンズ５４と向き合うように第１光軸Ｌ１上に選択的に位置決め可能に設けられている。このため、ＮＤフィルタ２４を支持する作動プレート１４と、この作動プレート１４に往復作動力を揺動アーム１５を介して伝える駆動部としての電気モータ１６とが配置されている。このＮＤフィルタ２４を、第１光軸Ｌ１中の減光位置に配置することにより、照明光学部２０から送り出される光線の光量を大きく低減させる。また、ＮＤフィルタ２４を光路外の待避位置に待避させることにより、照明光学部２０からの光線全てを送り出せる。
【００４１】
本実施形態によるセットアップでは、図２に示すように、光電変換部４０に含まれるＣＣＤセンサ４１ａ〜４１ｃに過大な光量が入り込まないようにＮＤフィルタ２４がＬ１の光路中に配置されている。つまり、光源部２１からの光線がフィルム２を透過すると、その光量が１０分の１近くに減光されるため、フィルム２をスキャニングして得られた読取信号をある一定レベル（例えば１４００）にするためには、フィルム２がない状態での光源光量をその１０倍近く（例えば１４０００）に調整しなければならないことになる。しかし、一般に分解能が１２ビットしかないＣＣＤセンサ４１ａ〜４１ｃにおいて光電変換するとすれば、フィルム２をスキャニングする光源光量を直接光電変換することは困難である。このため、光線の光軸上に減光フィルタとしてのＮＤフィルタ２４を介在させながら、その光源光量を光電変換することにした。
【００４２】
ディフューザ２５は、図２、図３に示すように、第１光軸Ｌ１の延長上で上壁１１部の壁面の近傍位置に取り付けられており、光線を拡散させて光量の分布を平均化させる。つまり、第１・第２・第３光軸Ｌ１・Ｌ２・Ｌ３は、各色の光源部２１の主走査方向での中央位置で、かつ、基板に対して垂直となるように設定されている。
なお、第１ミラー２３ａは、図２〜図４に示すように、Ｇ光源部２１ｂに用いられている緑色のＬＥＤからの波長（５２０〜５６０ｎｍ）の光線を透過し、これ以外の光線を反射する。また、第２ミラー２３ｂは、Ｒ光源部２１ａに用いられている赤色のＬＥＤからの波長（６２０〜７５０ｎｍ）の光線を透過し、Ｂ光源部２１ｃに用いられている青色のＬＥＤからの波長（４００〜４８０ｎｍ）の光線を反射する。このように、光源部２１ａ〜２１ｃが配置された照明光学部２０において、Ｇ光源部２１ｂから第１光軸Ｌ１に沿って送り出される光線は、平行化レンズ２２で平行光線化した後に、第１ミラー２３ａを透過して第１光軸Ｌ１に沿って上方に送られる。そして、Ｂ光源部２１ｃから第２光軸Ｌ２に沿って送り出される光線は、平行化レンズ２２で平行光線化した後に、第２ミラー２３ｂで反射して第３光軸Ｌ３と合流する。そして、Ｒ光源部２１ａから第３光軸Ｌ３に沿って送り出される光線は、平行化レンズ２２で平行光線化した後に第２ミラー２３ｂを透過する。
【００４３】
このように、第３光軸Ｌ３に沿って送られる赤色成分の光線と、青色成分の光線とは、第１ミラー２３ａで反射され、第１光軸Ｌ１に沿って上方に送られた結果、この第１光軸Ｌ１では、Ｒ・Ｇ・Ｂの各光線が合流した白色の光線が送られ、ディフューザ２５で拡散され、スキャンゲート５２に導かれる。
［制御部６０の説明］
制御部６０は、図５に示すように、照明光学部２０、撮像光学部３０、光電変換部４０、フィルムキャリアユニット５０の制御を行うためのものであり、ＣＰＵ６３を含んで構成されている。なお、制御部６０は、筐体１０（図１参照）内に含まれてもよいし、外部装置としてフィルムスキャナ１に接続されているものであってもよい。照明光学部２０、撮像光学部３０、光電変換部４０、フィルムキャリアユニット５０が、制御部６０によって制御される主な内容は以下のとおりである。
【００４４】
照明光学部２０では、光源部２１に含まれる各ＬＥＤ２１ａ〜２１ｃの光源が調整される。撮像光学部３０では、取り込む画像の画素数に基づいてズームレンズ３１の拡大率が調整される。これにより、主走査方向での画素数が設定される。光電変換部４０では、センサ駆動回路４２と連動し、各ＣＣＤセンサ４１ａ〜４１ｃの電荷蓄積動作や電荷蓄積時間が搬送速度にあわせて設定される。また、光電変換部４０から送られてくる画像データは、メモリ６１に展開される。フィルムキャリアユニット５０では、取り込む画像の画素数に基づいて搬送速度が調整される。これにより、副走査方向での画素数が設定される。
【００４５】
また、制御部６０は、ＣＰＵ６３がメモリ６１に格納された処理プログラムを読み込むことにより形成される機能ブロックとして、図６に示すように、分解処理部１０１、補正処理部１０２、合成処理部１０３、パラメータ算出処理部１０４を備えている。制御部６０に含まれる各処理部１０１〜１０４は、メモリ６１（図５参照）に展開されることによって以下に示す処理が行われる。
【００４６】
分解処理部１０１は、ＮＤフィルタに照射された光線を検出して取得した第１補正用データを、高周波成分、中周波成分、低周波成分の３つの周波数成分に分解して、それぞれの周波数成分に対応した第２補正用データを生成する。
補正処理部１０２は、分解処理部１０１において生成されたそれぞれ第２補正用データについて、高周波成分と中周波成分とに対応する第２補正用データに対して、それぞれ異なる補正処理を行って高周波成分と中周波成分に対応する第３補正用データを生成する。
【００４７】
合成処理部１０３は、補正処理部１０２において処理しなかった低周波成分に対応する第２補正用データと、補正処理部において生成された高周波成分と中周波成分とに対応する第３補正用データを合成し、第４補正用データを生成する。
パラメータ算出処理部１０４は、合成処理部１０３において生成した第４補正用データに対して、光量を均一化するような補正を行うための補正係数を算出する。
【００４８】
なお、制御部６０は、所定の周波数成分に対応して分解した第２補正用データの状態に応じて、補正する第２補正用データを自動的に選択することも可能である。
＜フィルムスキャナ１による画像の調整手順>
本実施形態のフィルムスキャナ１では、図７に示すフローチャートに従って画像の調整が行われる。また、図７のフローチャートに含まれる各ステップにおいて抽出、補正されるデータのサンプルを図８に示す。なお、図８に示すデータのサンプルＤ２〜Ｄ８は、取得された補正データの一部分を拡大して表したものである。よって、サンプルＤ２は、サンプルＤ１の一部分を、サンプルＤ８は、サンプルＤ９の一部分を拡大させたものである。以下に示す各ステップの説明では、補正の効果を明示的に示すために、拡大図であるＤ２〜Ｄ８を用いることとする。
【００４９】
ステップＳ１においては、ＮＤフィルタ２４に照射された光線を検出して取得した第１補正用データＤ２に対して、分解処理部１０１（図６参照）が、高周波成分、中周波成分、低周波成分の３つの周波数成分に分解して、各成分に対応したそれぞれの第２補正用データＤ３〜Ｄ５を生成する。各成分に対応したそれぞれの第２補正用データＤ３〜Ｄ５を生成する手順は以下のとおりである。
【００５０】
まず、分解処理部１０１は、第１補正用データＤ１に対し画素数が５０の高周波成分に対応する平滑化フィルタを用いて、高周波成分に対応する第２補正用データＤ３を抽出する。次に、第１補正用データＤ１からこの第２補正用データＤ３を除いたデータＡ（図示せず）に対し、画素数が１００の中周波成分に対応する平滑化フィルタを用いて、中周波成分に対応する第２補正用データＤ４を抽出する。そして、上記データＡに対して、第２補正用データＤ３を取り除く処理を行って低周波成分に対応する第２補正用データＤ５を抽出する。
【００５１】
ステップＳ２においては、補正処理部１０２（図６参照）は、ステップＳ１において生成された高周波成分に対応する第２補正用データＤ３と中周波成分に対応する第２補正用データＤ４とについて以下の補正を行う。
まず、補正処理部１０２は、高周波成分に対応する第２補正用データＤ３に対して、差分差が一定のレベルになるように変形処理を行って第３補正用データＢ（図示せず）を生成する。この結果、第２補正用データＤ３は、わずかに弱められるように変形される。次に、補正処理部１０２は、中周波成分に対応する第２補正用データＤ４に対して、ネガやポジフィルム透過光における同じ画素位置の凹凸に形状に近づけるような変形処理を行って第３補正用データＤ６を生成する。なお、本実施形態において、低周波成分に対応する第２補正用データＤ５に対する補正は、ステップＳ２では行わない。
【００５２】
ステップＳ３においては、合成処理部１０３（図６参照）は、ステップＳ２において生成された中周波成分に対応する第３補正用データＤ６と、ステップ２において補正されなかった低周波成分に対応する第２補正用データＤ５とを合成して第４補正用データＤ７を生成する。次に、合成処理部１０３は、この第４補正用データＤ７と、ステップ２において生成された第３補正用データＢとを合成して第４補正用データＤ８を生成する。
【００５３】
ステップＳ４においては、パラメータ算出処理部１０４（図６参照）は、第４補正用データＤ９に対して、光量を均一化する調整を行うための補正パラメータを算出する。
ステップＳ５においては、ステップＳ４において算出された補正パラメータをスキャニングされた画像に反映させ、画像の調整を行う。
本実施形態のフィルムスキャナ１では、以上のような流れで各種処理を行うことで、各種むらを適正に補正することが可能な補正係数を算出し、この補正係数を基に取得した画像の調整を行うことができる。
【００５４】
［フィルムスキャナ１の特徴］
（１）
本実施形態のフィルムスキャナ１では、光源部２１と光電変換部４０と分解処理部１０１と補正処理部１０２とを備えている。光源部２１は、フィルム２に対して光線を照射する。光電変換部４０は、フィルム２に照射された光線を検出する。分解処理部１０１は、セットアップを行う際に、光電変換部４０において検出された光量に基づき第１補正用データＤ２を生成し、この第１補正用データＤ２を所定の周波数成分ごとに分解してそれぞれの第２補正用データを生成する。補正処理部１０２は、分解処理部１０１によって生成された第２補正用データに含まれる少なくとも１つの周波数成分に対応する第２補正用データの補正を行って第３補正用データを生成する。合成処理部１０３は、補正処理部１０２において生成された高周波成分に対応する第３補正用データ（図示せず）と、中周波成分に対応する第３補正用データＤ６と、補正処理部１０２において処理されなかった低周波成分に対応する第２補正用データＤ５との合成を行って第４補正用データＤ８を生成する。
【００５５】
ここで、第１補正用データＤ２を分解して生成される第２補正用データには、分解する周波数成分によってそれぞれに異なるむらが含まれる。例えば、第１補正用データを高周波成分と中周波成分と低周波成分に分解して第２補正用データＤ３〜Ｄ５を生成する場合、中周波成分に対応する第２補正用データＤ４には、ＮＤフィルタ２４と実際にスキャニングするフィルム２との光拡散特性の違いにより形状が変化するむらが含まれる。
【００５６】
通常、このようなフィルムスキャナについては、スキャニング画像の各種むらを調整するために、セットアップ用として取得された補正用データに基づきスキャニング画像の調整を行っていた。しかし、このような補正用データに基づき調整する方法では、例えば、
ＮＤフィルタと実際にスキャニングするフィルムとの光拡散特性の違いが考慮されておらず、適正に補正されずにむらが残る可能性があった。
【００５７】
そこで、本発明のフィルムスキャナ１では、セットアップ用として取得された第１補正用データを、所定の周波数成分ごとに分解してそれぞれの成分に対応した第２補正用データを生成する。そして、この第２補正用データに含まれる少なくても１つの周波数成分に対応する第２補正用データの補正をして第３補正用データを生成する。さらに、高周波成分に対応する第３補正用データ（図示せず）と、中周波成分に対応する第３補正用データＤ６と、低周波成分に対応する第２補正用データＤ５との合成を行って第４補正用データＤ８を生成した。なお、本実施形態では、第１補正用データＤ１を、高周波成分と中周波成分と低周波成分とに対応する第２補正用データＤ３〜Ｄ５に分解した。これらの第２補正用データＤ３〜Ｄ５には、それぞれの成分に対応したそれぞれのむらが含まれているので、合成前に第２補正用データＤ３〜Ｄ５をそれぞれ補正して第３補正用データＤ６を生成することにより、それぞれの成分に対応するむらを調整することが可能となる。
【００５８】
これにより、第２補正用データＤ３と第３補正用データとを合成して生成される第４補正用データＤ８を基にスキャニング画像を適正に調整することが可能となり、適正に補正されなかったむらを残すことなく、高品質な画像を提供することができる。
（２）
本実施形態のフィルムスキャナ１においては、分解処理部１０１が、第１補正用データＤ２を所定の周波数に従って高周波成分と中周波成分と低周波成分との３つに分解してそれぞれの第２補正用データＤ３〜Ｄ５を生成し、中周波成分に対応する第２補正用データＤ４を補正する。そして、補正処理部１０２が、中周波成分に対応する第２補正用データＤ４を補正して中周波成分に対応する第３補正用データＤ６を生成する。
【００５９】
ここで、第１補正用データＤ２を分解して生成される中周波成分に対応する第２補正用データＤ４には、ＮＤフィルタ２４と実際にスキャニングするフィルム２との光拡散特性の違いにより形状が変化するむらが含まれる。
そこで、本実施形態のフィルムスキャナ１では、第１補正用データＤ２を所定の周波数に従って高周波成分と中周波成分と低周波成分との３つに分解してそれぞれの第２補正用データＤ３〜Ｄ５を生成し、その中で中周波成分に対応する第２補正用データＤ４を補正する。
【００６０】
これにより、ＮＤフィルタ２４を利用したセットアップ調整において、ＮＤフィルタ２４と実際にスキャニングするフィルム２との光拡散特性の違いにより形状が変化するむらを効果的に軽減することができる。
なお、本実施形態では、補正処理部１０２において、高周波成分に対応する第２補正用データＤ３の補正も行っている。
【００６１】
これにより、各周波数成分に対応する各種むらを適正に補正して、さらに効果的な補正を行うことができる。
（３）
本実施形態のフィルムスキャナ１では、第１補正用データＤ２を所定の周波数に従って高周波成分と中周波成分と低周波成分との３つの周波数成分に分解し、高周波成分に対応する第２補正用データＤ３を補正する。
【００６２】
ここで、第１補正用データＤ２を分解して生成される高周波成分に対応する第２補正用データＤ３には、有効エリアにおけるＣＣＤ全画素域に起因するむらが含まれる。
これにより、光電変換部４０に含まれるＣＣＤセンサ４１ａ〜４１ｃのショットノイズや光源部２１に含まれるＬＥＤ２１ａ〜２１ｃのチップによるむらを効果的に軽減することができる。
【００６３】
（４）
本実施形態のフィルムスキャナ１では、パラメータ算出処理部１０４が、第４補正用データＤ８を基にスキャニング画像を調整するための補正係数を算出する。
ここで、第４補正用データＤ８は、それぞれの周波数成分に分解された第２補正用データＤ３〜Ｄ５に対応するむらをそれぞれ適正に補正した第３補正用データ（図示せず）を合成して生成されている。このため、第４補正用データＤ８から算出される補正係数は、従来の補正係数と比べ、スキャニング画像を適正に補正することが可能となる。なお、従来の補正係数は、第１補正用データＤ２から算出していた。
【００６４】
これにより、第４補正用データＤ８から算出される補正係数によってスキャニング画像を適正に調整することが可能となり、適正に補正されなかったむらを残すことなく、高品質な画像を提供することができる。
（５）
本実施形態のフィルムスキャナ１では、分解処理部１０１が、第１補正用データＤ２を所定の周波数成分ごとに分解するために、画素数が異なる複数の平滑化フィルタを用いて処理する。
【００６５】
これにより、第１補正用データＤ２を効率的に高周波成分に対応する第２補正用データＤ３と、中周波成分に対応する第２補正用データＤ４と、低周波成分に対応する第２補正用データＤ５とに効率的に分解することができる。
［他の実施形態］
以上、本発明の一実施形態について説明したが、本発明は上記実施形態に限定されるものではなく、発明の要旨を逸脱しない範囲で種々の変更が可能である。
【００６６】
（Ａ）
上記実施形態では、ステップＳ２において、高周波成分、中周波成分に対応する第２補正用データＤ３、Ｄ４ついて補正する例を挙げて説明した。しかし、本発明はこれに限定されるものではない。
それぞれの成分に対応する第２補正用データのうち、少なくとも１つ以上の第２補正用データの補正を行えばよい。
【００６７】
例えば、高周波成分、中周波成分、低周波成分に対応するいずれか１つの第２補正用データのみ補正を行ってもよい。また、低周波成分と中周波成分に対応する第２補正用データの補正を行ってもよいし、高周波成分と低周波成分に対応する第２補正用データの補正を行ってもよい。さらに、高周波成分と中周波成分と低周波成分に対応する全ての第２補正用データの補正を行ってもよい。
【００６８】
（Ｂ）
上記実施形態では、第１補正用データＤ２を所定の周波数に従って高周波成分と中周波成分と低周波成分との３つの周波数成分に分解し、高周波成分に対応する第２補正用データＤ３と中周波成分に対応する第２補正用データＤ４を補正する例を挙げて説明した。しかし、本発明はこれに限定されるものではない。
【００６９】
例えば、低周波成分に対応する第２補正用データＤ５のみを補正してもよい。
ここで、第１補正用データＤ２を分解して生成される低周波成分に対応する第２補正用データＤ５には、有効エリアにおけるＣＣＤ全画素域に起因するむらが含まれる。
これにより、有効エリアにおけるＣＣＤ全画素域についてのむらを効果的に軽減することが可能となる。
【００７０】
（Ｃ）
上記実施形態では、ステップＳ１において、画素数が５０、１００、２００の平滑化フィルタを用いて、それぞれ高周波成分、中周波成分、低周波成分の第２補正用データ（Ｄ４〜Ｄ６）の３成分に分解した例を挙げて説明した。しかし、本発明はこれに限定されるものではない。
【００７１】
例えば、平滑化フィルタの画素数を調整して、高周波成分と低周波成分に対応する２成分に分解したり、高周波成分１と高周波成分２と中周波成分と低周波成分との４成分以上に分解したりしてもよい。
さらに、平滑化フィルタの画素数についても、上記３種に限定されたものではなく、例えば、１００、２００、３００のフィルタを用いて、それぞれ高周波成分、中周波成分、低周波成分の第２補正用データに分解してもよい。
【００７２】
（Ｄ）
上記実施形態では、第１補正用データＤ２を取得する際に、光電変換部４０に含まれるＣＣＤセンサ４１ａ〜４１ｃに過大な光量が入り込まないようにＮＤフィルタ２４を用いた例を挙げて説明した。しかし、本発明はこれに限定されるものではない。
例えば、シェーディング補正板など、均一な光透過レベルを有した材質であれば、ＣＣＤセンサ４１ａ〜４１ｃに過大な光量が入り込まないようにする減光材として使用することが可能である。
【００７３】
また、過大な光量が入り込まないようにする方法として、上記に示す減光材を使用せずに、光量を調整してもよい。例えば、光源部２１をパルス点灯したり、光源部２１への入力電流を絞るなどの方法がある。
（Ｅ）
上記実施形態では、ステップＳ２において、各周波成分に対応する第２補正用データに分解するために平滑化フィルタを用いた例を挙げて説明した。しかし、本発明はこれに限定されるものではない。
【００７４】
例えば、所定の周波数を検出することができる検出フィルタを用いるなど他の方法を用いてもよい。
（Ｆ）
上記実施形態では、照明光学部２０から放射される光線が、ＮＤフィルタ２４を透過する例を挙げて説明した。しかし、本発明はこれに限定されるものではない。
【００７５】
照明光学部２０から放射された光線が、ＮＤフィルタ２４を反射し、その光線を撮像光学部３０が処理し、光電変換部４０で検出してもよい。
（Ｇ）
上記実施形態では、本発明をフィルムスキャナ１に対して適用した例を挙げて説明した。しかし、本発明はこれに限定されるものではない。
【００７６】
例えば、フィルムスキャナ１に内蔵された画像読取装置に対してではなく、上述した図７に示すフローチャートに従って行われる画像読取調整の処理方法をコンピュータに実行させる画像読取装置調整プログラムとして本発明を実現することも可能である。
【産業上の利用可能性】
【００７７】
本発明の画像読取装置は、セットアップを行う際に取得した補正用データを基に、画像データに含まれる複数の各種むらに対してそれぞれ調整することが可能であるという効果を奏することから、本実施例で挙げた補正に限らず、他のむらの補正を行うフィルムスキャナ、写真処理装置、画像読取調整プログラムに対して広く適用可能である。
【図面の簡単な説明】
【００７８】
【図１】本実施例のフィルムスキャナの一例を示す図。
【図２】フィルムスキャナの内部構成を示す説明図。
【図３】フィルムスキャナの照明光学系を示す断面図。
【図４】フィルムスキャナの内部構成を示す斜視図。
【図５】フィルムスキャナが形成する制御ブロック図。
【図６】フィルムスキャナの制御部が形成する機能ブロック図。
【図７】画像調整方法を示すフローチャート。
【図８】本実施例の画像調整方法を示す説明図。
【符号の説明】
【００７９】
１        フィルムスキャナ（画像読取装置）
２        フィルム
１０      筐体
１１      上壁部
１２      側壁部
１３      底壁部
１４      作動プレート
１５      揺動アーム
１６      電気モータ
２０      照明光学部
２１      光源部（光源装置）
２１ａ    赤色光源部
２１ｂ    緑色光源部
２１ｃ    青色光源部
２２      平行化レンズ
２３      ミラー
２３ａ    第１ミラー
２３ｂ    第２ミラー
２４      ＮＤフィルタ（減光材）
２５      ディフューザ
３０      撮像光学部
３１      ズームレンズ
３２      絞り
４０      光電変換部（光検出部）
４１ａ    赤色ＣＣＤセンサ
４１ｂ    緑色ＣＣＤセンサ
４１ｃ    青色ＣＣＤセンサ
４２      センサ駆動回路
５０      フィルムキャリアユニット
５１      ケース
５２      スキャンゲート
５３      搬送ローラ
５４      集光レンズ
６０      制御部
６１      メモリ
６３      ＣＰＵ
１０１    分解処理部
１０２    補正処理部
１０３    合成処理部
１０４    パラメータ算出処理部
Ｄ１      第１補正用データ
Ｄ２      第１補正用データ
Ｄ３      高周波成分に対応する第２補正用データ
Ｄ４      中周波成分に対応する第２補正用データ
Ｄ５      低周波成分に対応する第２補正用データ
Ｄ６      中周波成分に対応する第３補正用データ
Ｄ７      第４補正用データ
Ｄ８      第４補正用データ
Ｄ９      第４補正用データ
【図１】
2007006354.tif 000003
【図２】
2007006354.tif 000004
【図３】
2007006354.tif 000005
【図４】
2007006354.tif 000006
【図５】
2007006354.tif 000007
【図６】
2007006354.tif 000008
【図７】
2007006354.tif 000009
【図８】
2007006354.tif 000010